(57)【特許請求の範囲】
【請求項１】
ストライク板４に芯出し用基準小孔９を有し、かつ、予め外側框１に固定された外側錠部材２と、この外側錠部材２に対向して内側縦框２１に固定され、かつ、錠箱２４のフロント板２３に芯出し孔４０を有する内側錠部材２２とから成る引き違い戸の錠部材の芯出し構造に於いて、内側錠部材２２の錠箱２４内に支持板２５を設け、この支持板２５には前記芯出し用基準小孔９に対して水平移動可能に設けられ、かつ、バネ部材２６で錠箱２４の垂直壁部４６に形成されたドライバー用差し込み孔４８の方向に付勢された芯出し用係合棒２７を設け、一方、この芯出し用係合棒２７はセッテイングの際に、錠箱２４内に上下動可能に内装された駆動板２８と係合し、この駆動板２８は内側縦框２１に固定された内側カバーに設けられた操作片３４に連結している引き違い戸の錠部材の芯出し構造。
【請求項２】
請求項１に於いて、芯出し用係合棒２７には係合部５１が設けられ、一方、駆動板２８の上端部には、芯出し用係合棒２７のセッテイングの際に、前記係合部５１を係止する係止突片５６が設けられていることを特徴とする引き違い戸の錠部材の芯出し構造。
【請求項３】
ストライク板４に芯出し用基準小孔９を有し、かつ、予め外側框１に固定された外側錠部材２と、この外側錠部材２に対向して内側縦框２１に固定され、かつ、錠箱２４Ａのフロント板２３に芯出し孔４０Ａを有する内側錠部材２２とから成る引き違い戸の錠部材の芯出し構造に於いて、内側錠部材２２の錠箱２４Ａ内に支持板２５を設け、この支持板２５には前記芯出し用基準小孔９に対して水平移動可能に設けられ、かつ、バネ部材２６Ａで錠箱２４Ａの垂直壁部４６に形成されたドライバー用差し込み孔４８Ａの方向に付勢された芯出し用係合棒２７Ａを設け、この芯出し用係合棒２７Ａはセッテイングの際に、錠箱２４Ａの内壁面に設けられた係止突片５６Ａと係合し、また内側縦框２１に固定される内側カバー３２Ａには、錠箱２４Ａのドライバー用差し込み孔４８Ａと直線上一致するドライバー用貫通孔８１が形成されている引き違い戸の錠部材の芯出し構造。
【請求項４】
請求項３に於いて、ドライバー用貫通孔８１、ドライバー用差し込み孔４８Ａ、芯出し孔４０Ａは同一の直線上に位置し、また芯出し用係合棒２７Ａは、常態では全体が錠箱２４Ａ内に位置していることを特徴とする引き違い戸の錠部材の芯出し構造。
【請求項５】
内側框２１の取付け用嵌合孔４３にフロント板２３を有する錠箱２４を遊嵌合する錠箱遊嵌合工程Ａと、次にドライバー８０を錠箱２４のドライバー用差し込み孔４８に差し込み、かつ、係合棒２７の頭部５０を突っ突きながら該係合棒２７の先端部をフロント板２３の芯出し孔４０を介し、外側錠部材２のストライク板４の芯出し用基準小孔９に挿入する錠箱位置決め工程Ｂと、次にＣは錠箱２４の取付け位置が割り出された状態に於いて、ドライバー８０を介して係合棒２７を回転し、該係合棒２７の係合部５１を駆動板２８の係止突片５６に係止させる係合棒セッテイング工程Ｃと、次に内側カバー３２を固着具３１を介して錠箱２４並びに内側框２１に固定する錠箱固定工程Ｄと、しかる後に、内側カバー３２に設けられた操作片３４を操作して錠箱２４内の駆動板２８を下降させ、これにより係合棒２７と駆動板２８との係合関係を解除し、係合棒２７をバネ部材２６のバネ力により錠箱２４内に復帰させる係合棒復帰工程Ｅとから成る引き違い戸の錠部材の芯出し方法。
【請求項６】
請求項５に於いて、係合棒セッテイング工程Ｃは、係合棒２７Ａの係合部５１Ａを錠箱２４Ａの係止突片５６Ａに係止させ、一方、係合棒復帰工程Ｅは、錠箱固定工程Ｄ後にドライバー８０Ａを内側カバー３２Ａのドライバー用貫通孔８１並びに錠箱２４Ａのドライバー用差し込み孔４８Ａに差し込み、かつ、係合棒２７Ａを回転させ、係合棒２７Ａの係合部５１Ａを錠箱２４Ａの係止突片５６Ａから外すことを特徴とする引き違い戸の錠部材の芯出し方法。
【請求項７】
請求項５に於いて、錠箱固定工程Ｄは、錠箱仮止め工程ｄ１と、この錠箱仮止め工程ｄ１後の内側カバー取付け工程ｄ２とから成ることを特徴とする引き違い戸の錠部材の芯出し方法。
【発明の詳細な説明】
【０００１】
【発明の属する技術分野】
本発明は引き違い戸の錠部材の芯出し構造及び錠部材の芯出し方法に関する。ここで「錠部材」とは、引き違い戸に於ける外側框に取り付けられる外側錠部材と、この外側錠部材に対向するように内側縦框に取り付けられる内側錠部材とを意味する。
【０００２】
【従来の技術】
一般に引き違い戸の錠部材の芯出し構造及び錠部材の芯出し方法は、「錠部材」が鎌用係合孔を有する外側錠部材と鎌を内装する内側錠部材とから成るので、両部材を整合するように引き違い戸の縦框に固定的に取り付けなければ成らない。
【０００３】
そこで、従来、外側錠部材のストライク板に位置決め用マークを付し、一方、内側錠部材の錠箱のフロント板に照準孔を形成し、またこの照準孔と位置決め用マークとの一致を目視により確認することができるように前記フロント板と対向する後部垂直壁に覗き孔を形成する引違錠の取付装置が提案されている（特開平７−２８６４０号公報）。
【０００４】
また従来、予め外側框に固定的に取付けられた外側錠部材に対し、内側錠部材を内側縦框に取り付ける際に、外側錠部材のストライク板に形成された芯出し用基準小孔、内側錠部材の錠箱のフロント板並びに後部垂直壁にそれぞれ形成された一対の水平貫通孔等にセッテイング用ピンを差し込み、錠部材の芯出した状態で内側錠部材（錠箱及び化粧板）を内側縦框に固定している。
【０００５】
しかしながら、前者の実施例は、目視により錠部材の芯出しを行うため、勘やある程度の熟練さを要すると共に、内側錠部材の錠箱を仮止めした状態で化粧板を固定しなければ成らない。すなわち、作業員が一旦目視により錠部材の芯出しをしたならば、錠箱を上下に「ずらさない」ようにしながら内側錠部材の取付け作業をしなければ成らないので、結構面倒である。
【０００６】
一方、後者の実施例は、芯出しの際セッテイング用ピンを用いるので、前者の実施例の欠点を解消することができると言う利点を有するものの、一旦引違錠を引き違い戸の縦框に取付けてしまうと、経験則上（日常）、セッテイング用ピンを捨ててしまったり、或いは紛失してしまうのが一般である。したがって、使用後に再度芯出しの必要性が生じた場合に、新たなセッテイング用ピンを用意しないと、直ちに錠部材の芯出しができないという問題点がある。
【０００７】
【発明が解決しようとする課題】
本発明は以上のような従来の欠点に鑑み、第１の目的は外側錠部材に対する内側錠部材の芯出しが容易であると同時に、内側縦框に内側錠部材を簡単に取付けることができることである。第２の目的は錠部材の使用後に、再度芯出しの必要性が生じた場合、新たなセッテイング用ピンを用意しなくとも直ちに錠部材の芯出しができることである。第３の目的は錠部材を縦框に固定した後、内側カバーに設けられた操作片を簡単に操作するだけで、セッテイング用係合棒の全体を錠箱内に自動的に復帰させることができることである。
【０００８】
【課題を解決するための手段】
本発明の引き違い戸の錠部材の芯出し構造は、ストライク板４に芯出し用基準小孔９を有し、かつ、予め外側框１に固定された外側錠部材２と、この外側錠部材２に対向して内側縦框２１に固定され、かつ、錠箱２４のフロント板２３に芯出し孔４０を有する内側錠部材２２とから成る引き違い戸の錠部材の芯出し構造に於いて、内側錠部材２２の錠箱２４内に支持板２５を設け、この支持板２５には前記芯出し用基準小孔９に対して水平移動可能に設けられ、かつ、バネ部材２６で錠箱２４の垂直壁部４６に形成されたドライバー用差し込み孔４８の方向に付勢された芯出し用係合棒２７を設け、一方、この芯出し用係合棒２７はセッテイングの際に、錠箱２４内に上下動可能に内装された駆動板２８と係合し、この駆動板２８は内側縦框２１に固定された内側カバーに設けられた操作片３４に連結していることを特徴とする。
【０００９】
また本発明の引き違い戸の錠部材の芯出し構造は、ストライク板４に芯出し用基準小孔９を有し、かつ、予め外側框１に固定された外側錠部材２と、この外側錠部材２に対向して内側縦框２１に固定され、かつ、錠箱２４Ａのフロント板２３に芯出し孔４０Ａを有する内側錠部材２２とから成る引き違い戸の錠部材の芯出し構造に於いて、内側錠部材２２の錠箱２４Ａ内に支持板２５を設け、この支持板２５には前記芯出し用基準小孔９に対して水平移動可能に設けられ、かつ、バネ部材２６Ａで錠箱２４Ａの垂直壁部４６に形成されたドライバー用差し込み孔４８Ａの方向に付勢された芯出し用係合棒２７Ａを設け、この芯出し用係合棒２７Ａはセッテイングの際に、錠箱２４Ａの内壁面に設けられた係止突片５６Ａと係合し、また内側縦框２１に固定される内側カバー３２Ａには、錠箱２４Ａのドライバー用差し込み孔４８Ａと直線上一致するドライバー用貫通孔８１が形成されていることを特徴とする。
【００１０】
さらに、本発明の引き違い戸の錠部材の芯出し方法は、内側框２１の取付け用嵌合孔４３にフロント板２３を有する錠箱２４を遊嵌合する錠箱遊嵌合工程Ａと、次にドライバー８０を錠箱２４のドライバー用差し込み孔４８に差し込み、かつ、係合棒２７の頭部５０を突っ突きながら該係合棒２７の先端部をフロント板２３の芯出し孔４０を介し、外側錠部材２のストライク板４の芯出し用基準小孔９に挿入する錠箱位置決め工程Ｂと、次にＣは錠箱２４の取付け位置が割り出された状態に於いて、ドライバー８０を介して係合棒２７を回転し、該係合棒２７の係合部５１を駆動板２８の係止突片５６に係止させる係合棒セッテイング工程Ｃと、次に内側カバー３２を固着具３１を介して錠箱２４並びに内側框２１に固定する錠箱固定工程Ｄと、しかる後に、内側カバー３２に設けられた操作片３４を操作して錠箱２４内の駆動板２８を下降させ、これにより係合棒２７と駆動板２８との係合関係を解除し、係合棒２７をバネ部材２６のバネ力により錠箱２４内に復帰させる係合棒復帰工程Ｅとから成ることを特徴とする。
【００１１】
【発明の実施の形態】
以下、図面に示す本発明の物の発明に於ける実施の形態を説明する。まず図１は引き違い戸に於ける外側框１の錠部材２と、内側縦框２１の錠部材２２との芯出し構造Ｘを示す概略図である。
【００１２】
まず外側框１の錠部材２について説明する。本発明に於いて、外側錠部材２の内部構造は発明を特定する要件ではないので省略する。
【００１３】
しかして、外側錠部材２は、外側カバー（通称、化粧板又は外側エスカチオンと言う。）３と、ストライク板４と、このストライク板４と外側錠部材２を一体的に結合する第１の固着具５とから成る。前記外側カバー３の開口部６が形成された内部空間７には、キーによって作動するシリンダ錠が内装される。また外側カバー３の内部空間７の下方の中央空間８には、複数個のロックアームを有するロック機構が組み込まれる。
【００１４】
一方、前記ストライク板４には複数個の貫通孔や開口が形成されている。そこで、これらの貫通孔等について説明すると、９はストライク板４の上部に形成された芯出し用基準小孔である。この芯出し用基準小孔９は円形であり、シリンダ錠用内部空間７と連通可能である。一方、１０はストライク板４の下部に形成された鎌用係合孔である。鎌用係合孔１０は矩形状であり、後述する内側錠部材２２の鎌が入り込む。そして、１１はストライク板４の中央部に形成された複数個のロックアーム用貫通孔である。
【００１５】
次に内側縦框２１の錠部材２２について説明する。この内側錠部材２２は、予め外側框１に固定された外側錠部材２に対し、錠箱２４の芯出し孔を外側錠部材２の基準小孔９に一致させた後、内側縦框２１に固定される。
【００１６】
しかして、内側錠部材２２は、フロント板２３を有する錠箱２４と、この錠箱２４内に支持板２５を介し、芯出し用基準小孔９に対して水平移動可能に設けられ、かつ、バネ部材２６で一方向に付勢された芯出し用係合棒２７と、この芯出し用係合棒２７を前記外側錠部材２の基準小孔９にセッテイングした際に、該芯出し用係合棒２７を係止できるように錠箱２４に上下動可能に内装された駆動板２８と、この駆動板２８の上下動により回動するように錠箱２４に軸支された鎌２９と、錠箱２４を内側縦框２１に仮止めする仮止め固定手段３０と、内側縦框２１に第２の固着具３１を介して直接的又は間接的に固定される内側カバー（通称、化粧板又は内側エスカチオンと言う。）３２と、駆動板２８に一端部が固定された連結棒３３を介して内側カバー３２にスライド自在に設けられた操作片３４とから成る。
【００１７】
そこで、内側錠部材２２の各構成要素についてさらに詳しく説明する。まずフロント板２３の上部には芯出し孔４０が形成されている。芯出し孔４０は錠箱２４を上下に調節すると、外側錠部材２の基準小孔９と一致可能であると共に、これらの孔９、４０が一致した場合には、係合棒２７が貫通状態にセッテイング可能である。またフロント板２３の中央部には外側錠部材２の図示しないロック機構のロックアームが入り込む開口４１が形成されている。さらに、フロント板２３の下部には鎌用開口４２が形成されている。鎌用開口４２は錠箱２４を上下に調節すると、丁度外側錠部材２の鎌用係合孔１０に一致する。
【００１８】
次に錠箱２４は内側框２１の取付け用嵌合孔４３に上下方向に調整できるように多少の余裕を有して嵌め込まれる。錠箱２４は全体として長箱状であり、取付け用嵌合孔４３に縦に配設される。しかして、４４、４５はフロント板２３と交差する上下の側壁部であり、また４６はフロント板２３に対する垂直壁部である。この垂直壁部４６の上下部には第２の固着具３１用メネジ孔４７がそれぞれ形成されている。また垂直壁部４６の上部には係合棒２７をセッテイングするためのドライバー用差し込み孔４８が形成されている。さらに、垂直壁部４６の中央部には垂直案内長孔４９が形成されている。
【００１９】
次に支持板２５は上壁部４４の内壁面に固定的に垂設され、中央部に貫通孔を有する。また係合棒２７は、支持板２５にその貫通孔を介して設けられたピン状のバーであり、ドライバー用差し込み孔４８に臨む頭部５０と支持板２５との間には、係合棒２７を錠箱２４内（差し込み孔４８の方向）に付勢するバネ部材２６が介在している。そして、係合棒２７の中央部には駆動板２８と係脱する小判状の係合部５１が設けられている。
【００２０】
次に駆動板２８は全体としては長板状であり、錠箱２４内に図示しない垂直ガイド部を介して上下動可能に設けられている。そして、駆動板２８の人差し指状の上端部５５には係合棒２７の係合部５１を係止する係止突片５６が形成されている。また駆動板２８の親指状部５７側には錠箱の垂直壁部４６と対向する折曲部５８が形成され、この折曲部５８の中央部には連結棒３３の一端部が固定されている。さらに、駆動板２８の下端部には鎌２９のＴ字型ガイド孔６０と係合する突起軸５９が設けられている。
【００２１】
次に鎌２９は錠箱２４の下端部寄りの部位に横設軸架された横軸６１に軸支され、駆動板２８が下降すると、横軸６１を支点に回転し、鎌用開口４２及び鎌用係合孔１０へと入り込む。
【００２２】
次に仮止め固定手段３０は錠箱２４の上下側壁部４４、４５の外壁面にそれぞれ固定的に設けられている。仮止め固定手段３０自体の構成に付いては、出願人が特開平７−２８６４６０号公報ですでに提案済みである。この公開公報には錠箱の仮止め構造の実施例をいくつか記載してある。したがって、図１の仮止め固定手段３０は錠箱２４を内側框２１に仮止めする一例に過ぎない。
【００２３】
しかして、６５は錠箱２４の側壁部４４、４５に固定され、かつ、一端部に内側框２１に外拡変位して圧接するアーム状圧接部６５ａを有する固定片で、この固定片６５の他端部には仮止めネジ６６と螺合するネジ部６５ｂが設けられている。なお、仮止めネジ６６をドライバーで締めると、その先端部がアーム状圧接部６５ａを押圧する。
【００２４】
次に内側カバー３２は第２の固着具３１を介して錠箱２４に固定されている。したがって、内側カバー３２は錠箱２４のフロント板２３と相俟って内側框２１に固定されている。内側カバー３２は意匠的には化粧板としての装飾的機能を有する。しかして、内側カバー３２の中央部には縦方向に切欠部７０が形成されている。そして、この切欠部７０を塞ぐように内側カバー３２の内側には、所要のガイド空間７１を有してガイド支持板７２が固定的に設けられている。
【００２５】
次に操作片３４は板状スライド部７５の中央部に摘み部７６を有し、前記ガイド空間７１に設けられている。そして、操作片３４の摘み部７６にはガイド支持板７２の貫通孔を貫通する連結棒３３の他端部が嵌入している。
【００２６】
次に図５乃至図１０は方法の発明の第１実施例である。この実施例は上述した物の発明の実施例を前提としている。したがって、便宜上図１記載の実施例の符号を用いて説明をする。また構造上の重複する説明は便宜的に省略する。
【００２７】
まずＡは内側框２１の取付け用嵌合孔４３にフロント板２３を有する錠箱２４を遊嵌合する錠箱遊嵌合工程である。この錠箱遊嵌合工程Ａでは、支持板２５に水平状態に支持された係合棒２７は、バネ部材２６で錠箱２４のドライバー用差し込み孔４８の方向に付勢され、かつ、その小判状係合部５１が支持板２５の側面に当たっているので、全体が錠箱２４内に位置している。そして、係合棒２７の頭部５０はドライバー用差し込み孔４８の近くに臨んでいる。
【００２８】
また錠箱２４は内側框２１の取付け用嵌合孔４３内に於いて上下方向に調整可能であると共に、この段階では錠箱２４に内側カバー３２は取り付けられていない。さらに、錠箱２４内の駆動板２８は上方に位置している。
【００２９】
次にＢはドライバー８０を錠箱２４のドライバー用差し込み孔４８に差し込み、かつ、係合棒２７の頭部５０を突っ突きながら該係合棒２７の先端部を芯出し孔４０を介し、外側錠部材のストライク板４の芯出し用基準小孔９に挿入する錠箱位置決め工程である。この錠箱位置決め工程Ｂでは錠箱２４を片手で支持しながら上下方向にスライドし、一方、他方の手でドライバー８０の突っ突き操作をする。この場合ストライク板４の芯出し用基準小孔９とフロント板２３の芯出し孔４０が一致すれば芯出し孔４０から突出する係合棒２７の先端部が芯出し用基準小孔９に入り込む。この場合係合棒２７はバネ部材２６のバネ力に抗して水平移動する。これにより錠箱２４の取付け位置が割り出される。
【００３０】
次にＣは錠箱２４の取付け位置が割り出された（係合棒２７が芯出し用基準小孔９に入り込んだ）状態に於いて、ドライバー８０を介して係合棒２７を所要角度回転し、該係合棒２７の係合部５１を駆動板２８の係止突片５６に係止させる係合棒セッテイング工程である。この係合棒セッテイング工程Ｃでは、係合棒２７を９０度程回転すると、係合棒２７の係合部５１が駆動板２８の係止突片５６に完全に係止される。したがって、係合棒２７が芯出し用基準小孔９に入り込んだ状態に成る。またこの時係合棒２７に装着されたバネ部材２６は、係合棒２７の頭部５０と支持板２５の間で収縮しているので、バネ部材２６のバネ力はドライバー用差し込み孔４８の方向に働いている。
【００３１】
Ｄは錠箱固定工程である。この錠箱固定工程Ｄは、本実施例では錠箱仮止め工程ｄ１と、この錠箱仮止め工程ｄ１後の内側カバー取付け工程ｄ２とから成る。まず錠箱仮止め工程ｄ１ではドライバー８０を回し、錠箱２４の仮止め固定手段３０の仮止めネジ６６を締める。仮止めネジ６６を締めると、固定片６５のアーム状圧接部６５ａが外拡変位し、内側框２１に圧接する。これにより錠箱２４は内側框２１に仮止めされる。次に内側カバー取付け工程ｄ２では、内側カバー３２の操作片３４を予め上方に位置させた状態に於いて、操作片３４の摘み部７６の内部に駆動板２８の連結棒３３の突出他端部を嵌入させ、しかる後に第２の固着具３１を締め、内側カバー３２を錠箱２４並びに内側框２１に固定する。錠箱２４はそのフロンド板２３と内側カバー３２とが相俟って内側框２１に確実に固定される。
【００３２】
Ｅは操作片３４を操作して駆動板２８を下降させ、これにより係合棒２７と駆動板２８との係合関係を解除し、係合棒２７をバネ部材２６のバネ力により錠箱２４内に復帰させる係合棒復帰工程である。この係合棒復帰工程Ｅでは操作片３４の摘み部７６を指で摘んで下方にスライドさせる。そうすると、駆動板２８は連結棒３３を介して下方に下降し、駆動板２８の係合突片５６が係合棒２７の係合部５１から外れる。その結果、係合棒２７はバネ部材２６のバネ力により、自動的錠箱２４内に復帰する。
【００３３】
【実施例】
まず物の発明の実施例に於いて、駆動板２８の人差し指状の上端部５５に係合棒２７の係合部５１を係止する係止突片５６が形成されているが、この点を図１１で示すように設計変更することができる。
【００３４】
すなわち、図１１乃至図１３で示すように錠箱２４Ａの上の側壁部４４Ａの内壁面に係止突片５６Ａを垂設し、この係止突片５６Ａに錠箱２４Ａの取付け位置が割り出された状態に於いて、係合棒２７Ａの小判状係合部５１Ａが係合するように構成する。したがって、駆動板２８Ａには係止突片が形成されていない。
【００３５】
また内側カバー３２Ａの上端部に、錠箱２４Ａのドライバー用差し込み孔４８Ａと同様なドライバー用貫通孔８１が形成されている点である。なお、ドライバー用貫通孔８１、ドライバー用差し込み孔４８Ａ、芯出し孔４０Ａは同一の直線上に位置する。
【００３６】
次に方法の発明の実施例に於いて、図１１乃至図１３で示すように物の実施例を設計変更することができるので、係合棒セッテイング工程Ｃ並びに係合棒復帰工程Ｅか当然変わっている。すなわち、駆動板２８Ａと係合棒２７Ａとの係合関係がないので、係合棒セッテイング工程Ｃに於いては、係合棒２７Ａの係合部５１Ａを錠箱２４Ａの係止突片５６Ａに係止させ、一方、係合棒復帰工程Ｅに於いては、錠箱固定工程Ｄ後にドライバー８０Ａを内側カバー３２Ａのドライバー用貫通孔８１並びに錠箱２４Ａのドライバー用差し込み孔４８Ａに差し込み、かつ、係合棒２７Ａを略９０度回転させ、係合棒２７Ａの係合部５１Ａを錠箱２４Ａの係止突片５６Ａから外す。そうすると、係合棒２７Ａはバネ部材２６Ａのバネ力により、自動的に錠箱２４Ａ内に復帰する。
【００３７】
【発明の効果】
以上の説明から明らかなように、本発明にあっては次に列挙するような効果がある。
（１）外側錠部材に対する内側錠部材の芯出しが容易であると同時に、内側縦框に内側錠部材を簡単に取付けることができる。
（２）錠部材の使用後に、再度芯出しの必要性が生じた場合、新たなセッテイング用ピンを用意しなくとも直ちに錠部材の芯出しができる。
（３）錠部材を縦框に固定した後、内側カバーに設けられた操作片を簡単に操作するだけで、セッテイング用係合棒の全体を錠箱内に自動的に復帰させることができる。
（４）請求項１及び錠箱仮止め工程を含む請求項５記載の発明は、必ずしも化粧板としての内側カバーにドライバー用貫通孔を形成する必要がない。したがって、意匠的なデザインの要求を満たすことができる。
【図面の簡単な説明】
図１乃至図４は物の発明の一実施例に基づく本発明の実施の形態を説明するための各説明図。図５乃至図１０は方法の発明の一実施例に基づく本発明の実施の形態を説明するための各説明図。図１１乃至図１３は、物の発明の実施例（主要部）の変形例を示す各説明図。
【図１】物の発明の実施の形態を示す概略断面説明図。
【図２】主要部（内側框の取付け用嵌合孔に錠箱を装着した状態を示す。）の説明図。
【図３】要部（係合棒等）を示す説明図。
【図４】要部（駆動板等）を示す説明図。
【図５】方法の発明の一実施例を示す工程図。
【図６】錠箱遊嵌合工程Ａを示す説明図。
【図７】錠箱位置決め工程Ｂを示す説明図。
【図８】係合棒セッテイング工程Ｃを示す説明図。
【図９】錠箱固定工程Ｄを示す説明図。
【図１０】係合棒復帰工程Ｅを示す説明図。
【図１１】変形例の主要部を示す説明図。
【図１２】図１１に於いて、係合棒のセッテイング時に於ける係合関係を示す説明図。
【図１３】内側カバーの斜視図。
【符号の説明】
Ｘ…芯出し構造、１…外側框、２…外側錠部材、３…外側カバー、４…ストライク板、５…第１の固着具、９…芯出し用基準小孔、１０…鎌用係合孔、２１…内側框、２２…内側錠部材、２３…フロント板、２４、２４Ａ…錠箱、４０、４０Ａ…芯出し孔、４２…鎌用開口、２５…支持板、２６、２６Ａ…バネ部材、２７、２７Ａ…係合棒、５０…頭部、５１、５１Ａ…係合部、２８、２８Ａ…駆動板、５５…上端部、５６、５６Ａ…係止突片、２９…鎌、３０…仮止め固定手段、６５…固定片、３１…第２の固着具、３２、３２Ａ…内側カバー、７０…切欠部、７１…ガイド空間、７２…ガイド支持板、３３…連結棒、３４…操作片、７６…摘み部、８０、８０Ａ…ドライバー、８１…ドライバー用貫通孔。
Ａ…錠箱遊嵌合工程、Ｂ…錠箱位置決め工程、Ｃ…係合棒セッテイング工程、Ｄ…錠箱固定工程Ｄ、ｄ１…錠箱仮止め工程、ｄ２…内側カバー取付け工程、Ｅ…係合棒復帰工程。
【図１】
0003848710.tif 000002
【図２】
0003848710.tif 000003
【図３】
0003848710.tif 000004
【図４】
0003848710.tif 000005
【図５】
0003848710.tif 000006
【図６】
0003848710.tif 000007
【図７】
0003848710.tif 000008
【図８】
0003848710.tif 000009
【図９】
0003848710.tif 000010
【図１０】
0003848710.tif 000011
【図１１】
0003848710.tif 000012
【図１２】
0003848710.tif 000013
【図１３】
0003848710.tif 000014